(57)【要約】【課題】画像形成装置において、簡素かつ安価な構造でありながらも、排紙トレイに堆積された記録紙の逆送を防止する。【解決手段】記録紙Ｐの後端が記録紙裏面接触部７２を通過すると、逆送防止部材７０は、錘部７４の自重によって下降するのに伴って回動する。このとき、斜面状に形成された記録紙押出部７５が上昇し、記録紙Ｐの後端を排出方向に押し出すことにより、排紙ローラ３４による記録紙Ｐの排出動作を促進する。記録紙Ｐが完全に排出されると、記録紙後端当接部７３が上昇し、排紙ローラ３４とスターローラ３６との間の記録紙搬送経路の一部が閉じられ、記録紙Ｐの逆送が防止される。【選択図】図１０
2008308284.tif 000002
【特許請求の範囲】
【請求項１】
記録紙を搬送する記録紙搬送機構と、前記記録紙搬送機構によって搬送された記録紙に画像を形成する画像形成手段と、前記画像形成手段によって画像が形成された後、前記記録紙搬送機構によって排出された記録紙が堆積される排紙トレイとを備え、
前記記録紙搬送機構は、前記画像形成手段の上流側に設けられ前記画像形成手段によって画像が形成された記録紙を排紙トレイの側に排出する排紙ローラと、記録紙を前記排紙ローラに押圧するスターローラとを有し、
前記給紙トレイに保持された記録紙を搬送する初期動作において前記排紙ローラが逆転方向に回転駆動される画像形成装置において、
前記排紙ローラが逆転方向に回転駆動されたとき、前記排紙トレイの上に堆積されている記録紙が該排紙ローラによって逆方向に搬送されないように、前記給紙ローラと前記排紙ローラとの間に介在される逆送防止部材をさらに備え、
前記逆送防止部材は、前記排紙ローラと前記スターローラとの接点の近傍に設けられ該排紙ローラによって排出されようしている記録紙の後端を前記排紙トレイの方向に押し出すための記録紙押出部を有し、
前記記録紙押出部が記録紙の後端を押し出すことにより、記録紙を前記排紙トレイに確実に排出し、該排紙トレイ上の記録紙が逆送されないようにしたことを特徴とする画像形成装置。
【請求項２】
前記逆送防止部材は、前記記録紙押出部よりも前記排紙トレイの側に設けられ前記排紙ローラによって逆方向に搬送された記録紙の後端が当接される記録紙後端当接部と、装置の筐体によって回動自在に支持される回動軸と、前記回動軸を挟んで前記記録紙後端当接部とは反対側に設けられた錘部とを有し、
前記錘部が自重によって下降するのに伴って、前記逆送防止部材が回動し、前記記録紙後端当接部が前記排紙ローラと前記スターローラとの間の記録紙搬送経路の一部を閉じることを特徴とする請求項１に記載の画像形成装置。
【請求項３】
前記逆送防止部材は、前記排紙ローラよりも前記画像形成部の側に設けられ前記給紙ローラによって正方向に搬送された記録紙の裏面が接触される記録紙裏面接触部を有し、
記録紙が前記記録紙裏面接触部の上を正方向に搬送されているとき、該記録紙裏面接触部が記録紙に押圧されることにより、前記逆送防止部材が第１方向に回動して前記排紙ローラと前記スターローラとの間の記録紙搬送経路が開かれ、
記録紙の後端が前記記録紙裏面接触部の上を通過した後には、前記錘部が自重によって下降するのに伴って、前記逆送防止部材が前記第1方向とは逆の第２方向に回動し、これに伴い前記記録紙押出部が記録紙の後端を前記排紙トレイの方向に押し出すと共に、前記記録紙後端当接部が前記排紙ローラと前記スターローラとの間の記録紙搬送経路の一部を閉じることを特徴とする請求項２に記載の画像形成装置。
【発明の詳細な説明】
【技術分野】
【０００１】
本発明は、パーソナルコンピュータ又はデジタルカメラ等と接続され、これらから出力された画像データに基いて、記録紙に画像を形成する画像形成装置に関するものである。
【背景技術】
【０００２】
従来から、画像形成装置は、給紙トレイに対向する位置に設けられたピックローラ、画像形成部の上流側近傍に設けられた給紙ローラ及び画像形成部の下流側に設けられた排紙ローラによって記録紙を搬送するように構成されている。通常、ピックローラは記録紙の表面側に、給紙ローラ及び排紙ローラは裏面側に配設されているところ、これらのローラを単一のモータによって駆動しようとする場合、後述するように、給紙の初期動作において給紙ローラ及び排紙ローラを逆転させる必要がある。ところが、給紙トレイの対応枚数よりも排紙トレイの対応枚数が少なく設定されている画像形成装置においては、排紙トレイに堆積されている画像形成済みの記録紙が、排紙ローラの逆転によって逆送されてしまうという不具合が発生する虞がある。
【０００３】
そこで、上述した記録紙の逆送を含む各種の搬送不良を防止するために、例えば特許文献１には、排紙ローラの両端近傍に設けられたサブローラによって記録紙を強制的に排出する画像形成装置が提案されている。なお、特許文献２には、排紙サポート付きの画像形成装置が、特許文献３には、排出された記録紙の搬送方向を転換する機構を備えた画像形成装置が、特許文献４には、記録紙のコーナー部が用紙上限検知部材に乗り上げる排紙不良を解消した画像形成装置がそれぞれ示されている。
【特許文献１】特開２０００−１１８８２０号公報
【特許文献２】特開２００６−１１７３５３号公報
【特許文献３】特開２００５−２８０９０８号公報
【特許文献４】特開２０００−３２７１９９号公報
【発明の開示】
【発明が解決しようとする課題】
【０００４】
しかしながら、上記特許文献１に示された画像形成装置にあっては、幅寸法の狭い記録紙を使用した場合、サブローラによって記録紙を排出できないという問題がある。
【０００５】
本発明は、上記課題を解決するためになされたものであり、幅寸法の狭い記録紙を使用した場合であっても、排紙トレイに堆積された記録紙の逆送を効果的に防止することができる画像形成装置を提供することを目的とする。
【課題を解決するための手段】
【０００６】
上記目的を達成するために請求項１の発明は、
記録紙を搬送する記録紙搬送機構と、前記記録紙搬送機構によって搬送された記録紙に画像を形成する画像形成手段と、前記画像形成手段によって画像が形成された後、前記記録紙搬送機構によって排出された記録紙が堆積される排紙トレイとを備え、
前記記録紙搬送機構は、前記画像形成手段の上流側に設けられ前記画像形成手段によって画像が形成された記録紙を排紙トレイの側に排出する排紙ローラと、記録紙を前記排紙ローラに押圧するスターローラとを有し、
前記給紙トレイに保持された記録紙を搬送する初期動作において前記排紙ローラが逆転方向に回転駆動される画像形成装置において、
前記排紙ローラが逆転方向に回転駆動されたとき、前記排紙トレイの上に堆積されている記録紙が該排紙ローラによって逆方向に搬送されないように、前記給紙ローラと前記排紙ローラとの間に介在される逆送防止部材をさらに備え、
前記逆送防止部材は、前記排紙ローラと前記スターローラとの接点の近傍に設けられ該排紙ローラによって排出されようしている記録紙の後端を前記排紙トレイの方向に押し出すための記録紙押出部を有し、
前記記録紙押出部が記録紙の後端を押し出すことにより、記録紙を前記排紙トレイに確実に排出し、該排紙トレイ上の記録紙が逆送されないようにしたものである。
【０００７】
請求項２の発明は、請求項１に記載の画像形成装置において、
前記逆送防止部材は、前記記録紙押出部よりも前記排紙トレイの側に設けられ前記排紙ローラによって逆方向に搬送された記録紙の後端が当接される記録紙後端当接部と、装置の筐体によって回動自在に支持される回動軸と、前記回動軸を挟んで前記記録紙後端当接部とは反対側に設けられた錘部とを有し、
前記錘部が自重によって下降するのに伴って、前記逆送防止部材が回動し、前記記録紙後端当接部が前記排紙ローラと前記スターローラとの間の記録紙搬送経路の一部を閉じるものである。
【０００８】
請求項３の発明は、請求項２に記載の画像形成装置において、
前記逆送防止部材は、前記排紙ローラよりも前記画像形成部の側に設けられ前記給紙ローラによって正方向に搬送された記録紙の裏面が接触される記録紙裏面接触部を有し、
記録紙が前記記録紙裏面接触部の上を正方向に搬送されているとき、該記録紙裏面接触部が記録紙に押圧されることにより、前記逆送防止部材が第１方向に回動して前記排紙ローラと前記スターローラとの間の記録紙搬送経路が開かれ、
記録紙の後端が前記記録紙裏面接触部の上を通過した後には、前記錘部が自重によって下降するのに伴って、前記逆送防止部材が前記第1方向とは逆の第２方向に回動し、これに伴い前記記録紙押出部が記録紙の後端を前記排紙トレイの方向に押し出すと共に、前記記録紙後端当接部が前記排紙ローラと前記スターローラとの間の記録紙搬送経路の一部を閉じるものである。
【発明の効果】
【０００９】
請求項１の発明によれば、給紙ローラと排紙ローラとの間に逆送防止部材を備えているので、排紙ローラが逆転方向に回転駆動された場合であっても、排紙トレイの上に堆積されている記録紙が該排紙ローラによって逆方向に搬送されることがない。従って、排紙トレイに対応枚数以上の記録紙が堆積された状態で、装置を動作させても、排紙トレイ上の既に画像が形成された記録紙が逆方向に搬送され、その上に別の画像が上書きされることがなくなる。しかも、逆送防止部材には排紙ローラによって排出されようしている記録紙の後端を排紙トレイの方向に押し出すための記録紙押出部が設けられているので、確実に記録紙を排出できるようになる。また、逆送防止部材を排紙ローラの軸方向の略中央に配設することにより、幅寸法の狭い記録紙を使用した場合であっても、確実に記録紙を排出し、逆送を防止することができる。
【００１０】
請求項２の発明によれば、記録紙の後端が逆送防止部材の上を通過した後には、錘部が自重によって下降するのに伴って、逆送防止部材が回動し、記録紙後端当接部が排紙ローラとスターローラとの間の記録紙搬送経路の一部が閉じられる。これにより、簡素かつ安価な構成でありながらも、記録紙が逆方向に搬送されることを確実に防止することができる。
【００１１】
請求項３の発明によれば、記録紙裏面接触部が給紙ローラによって正方向に搬送された記録紙の裏面と接触すると、記録紙裏面接触部が記録紙に押圧されることにより、逆送防止部材が第1方向に回動して排紙ローラとスターローラとの間の記録紙搬送経路が開かれるので、薄手の記録紙が用いられた場合であっても、記録紙が損傷したり紙詰まりが発生する虞がない。一方、記録紙の後端が記録紙裏面接触部の上を通過した後には、錘部が自重によって下降するのに伴って、逆送防止部材が第２方向に回動する。これに伴い記録紙押出部が記録紙の後端を排紙トレイの方向に押し出すため、簡素かつ安価な構成で記録紙を確実に排出できるようになる。
【発明を実施するための最良の形態】
【００１２】
本発明を実施するための最良の実施形態による画像形成装置の一例としてインクジェットプリンタについて図面を参照して説明する。図１はインクジェットプリンタを示している。インクジェットプリンタ１は、記録紙Ｐを保持する給紙トレイ２と、給紙トレイ２に保持された記録紙Ｐを装置本体の内部に搬送する記録紙搬送機構３と、記録紙搬送機構３によって搬送された記録紙Ｐの先端を検知する先端センサ３９と、記録紙搬送機構３によって搬送された記録紙Ｐに画像を形成する画像形成部（画像形成手段）４と、先端センサ３９から出力された信号に基いて、記録紙搬送機構３及び画像形成部４等の動作を制御する制御回路（制御手段）５と、画像形成部４によって画像が形成された後、記録紙搬送機構３によって排出された記録紙Ｐが堆積される排紙トレイ６と、上記各部を支持するための筐体７等によって構成されている。
【００１３】
給紙トレイ２は、インクジェットプリンタ１の後部に設けられており、所定サイズの封筒を含む各種の記録紙Ｐを鉛直方向に対して所定の後傾角度の起立姿勢で保持する。
【００１４】
記録紙搬送機構３は、給紙トレイ２に載置された記録紙Ｐを装置本体の内部に送出するピックローラ３１と、画像形成部４の上流側に設けられ、ピックローラ３１によって送出された記録紙Ｐを画像形成部４の側に送出する給紙ローラ３２と、画像形成部４によって画像が形成された記録紙Ｐを排出するための排紙ローラ３４と、ピックローラ３１、給紙ローラ３２及び排紙ローラ３４を駆動するためのフィードモータ３５と、排紙ローラ３４に記録紙Ｐを押圧するスターローラ３６等によって構成されている。
【００１５】
先端センサ３９は、給紙ローラ３２の上流側の近傍に配設されており、ピックローラ３１によって送出された記録紙Ｐの先端を検出し、所定の電気信号を制御回路５に出力する。画像形成部4は、インクが充填されたインクカートリッジ４０と、インクカートリッジ４０を支持しながら、記録紙Ｐの搬送方向Ａ（副走査方向）に直交する主走査方向Ｂ（図５参照）に往復移動するキャリッジ４１と、キャリッジ４１を駆動するキャリッジ駆動モータ４２等によって構成されている。インクカートリッジ４０の下面には、記録紙Ｐにインクを吐出するプリントヘッド４３が設けられている。プリントヘッド４３は、先端センサ３９によって先端が検知された後、さらに所定の距離だけ搬送された記録紙Ｐにインクを吐出して画像を形成する。キャリッジ４１は、主走査方向に平行に配設されたシャフト４４によって往復移動自在に支持され、キャリッジ駆動モータ４２に駆動されて移動する。キャリッジ駆動モータ４２の出力は、ベルト等を介してキャリッジ４１に伝達される。フィードモータ３５、キャリッジ駆動モータ４２及びプリントヘッド４３は、制御回路５によって制御される。
【００１６】
制御回路５は、例えば、ＰＷＭ制御によってフィードモータ３５を制御する。すなわち、フィードモータ３５の駆動電圧を上げることにより、ＰＷＭデューティが増加し、フィードモータ３５の回転数が上昇する。逆に、フィードモータ３５の駆動電圧を下げることにより、ＰＷＭデューティが減少し、フィードモータ３５の回転数が下降する。
【００１７】
図２及び図３は、記録紙搬送機構３におけるピックローラ３１、給紙ローラ３２及び排紙ローラ３４を回転駆動するための駆動ギア列の構成とその動作を示している。図２は、給紙トレイ２に保持された記録紙Ｐを搬送するときの記録紙搬送機構３の初期動作を、図３はその後の記録紙搬送機構３の動作を示している。ここで、上記初期動作とは、給紙トレイ２に保持された記録紙Ｐがピックローラ３１によって送出され、その先端が給紙ローラ３２に達するまでの動作をいうものとする。
【００１８】
ピックローラ３１、給紙ローラ３２及び排紙ローラ３４は、それぞれピックギア６１、給紙ギア（２段ギア）６２、排紙ギア６４に結合されている。給紙ギア６２は、フィードモータ３５の出力軸に嵌合されているピニオンギア６５と噛合っており、フィードモータ３５によって駆動される。また、給紙ギア６２と排紙ギア６４には、駆動力を伝達するためのベルト６３が装着されている。また、フィードモータ３５の駆動力は、ピニオンギア６５、２段ギア６６、６７、遊星ギア６８、ギア６９を介してピックギア６１に伝達される。遊星ギア６８は、２段ギア６７の回転軸６７ａに回動自在に軸支されたアーム部材６７ｂによって軸支されており、２段ギア６７の回転方向に応じてギア６９に駆動力を伝達したり、断絶したりする。また、ギア６９、ピックギア６１及びピックローラ３１は、支持アーム（図示せず）によってそれぞれ軸支されている。
【００１９】
給紙の初期状態においては、図２に示すように、フィードモータ３５の出力軸が反時計回りに回転し、その駆動力によってピックローラ３１は時計回りに回転し、給紙トレイ２に装填されている記録紙Ｐを送出する。このとき、給紙ローラ３２及び排紙ローラ３４も、時計回り、すなわち逆転方向に回転駆動される。
【００２０】
記録紙の先端が給紙ローラ３２に達すると、フィードモータ３５の出力軸の回転方向が時計回りに反転される。これにより、記録紙Ｐの搬送経路の下側（記録紙Ｐの裏面側）に位置する給紙ローラ３２及び排紙ローラ３４が反時計回り、すなわち正転方向に回転駆動され、記録紙Ｐが排紙トレイ６まで搬送される。なお、このときアーム部材６７ｂが矢印ｃ方向に回動されるため、遊星ギア６８とギア６９とは噛み合わず、ピックローラ３１には回転駆動力が伝達されない。
【００２１】
図４は、排紙ローラ３４の周辺部を示している。排紙ローラ３４は、筐体７によって回転自在に軸支されている。スターローラ３６は、金属製のプレート部材３７によって回転自在に軸支されている。排紙ローラ３４を挟んで排紙トレイ６とは反対側、すなわち給紙ローラ３２と排紙ローラ３４との間には、記録紙Ｐの逆送を防止するための逆送防止部材７０が設けられている。
【００２２】
図５は、逆送防止部材７０とその周辺の筐体７を示している。また、図６は逆送防止部材７０を、図７は筐体７における逆送防止部材７０が組み込まれる部分をそれぞれ示している。逆送防止部材７０は、排紙ローラ３４及びスターローラ３６と干渉しないように、排紙ローラ３４及びスターローラ３６に対して主走査方向Ｂに所定の距離を隔てた位置において、筐体７に形成されている開口部７ａに装着されている。逆送防止部材７０は、その本体部分から水平方向に延出された回動軸７１と、給紙ローラ３２によって正方向（矢印Ａ方向）に搬送された記録紙Ｐの裏面が接触される記録紙裏面接触部７２と、排紙ローラ３４によって逆方向（矢印Ａとは逆の方向）に搬送された記録紙Ｐの後端が当接される記録紙後端当接部７３と、図４中、逆送防止部材７０に時計回りのモーメントを付与するための錘部７４と、記録紙裏面接触部７２から記録紙後端当接部７３にかけて形成された記録紙押出部７５を有している。回動軸７１は、筐体７に形成されている軸受け部７ｂに装着されている。記録紙裏面接触部７２は、排紙ローラ３４よりも画像形成部４の側において、記録紙Ｐの搬送方向Ａに対して所定の迎角をもって斜面状に形成されている。記録紙後端当接部７３は、排紙ローラ３４とスターローラ３６との接点Ｔよりも排紙トレイ６の側において、逆方向に搬送された記録紙Ｐが略垂直に当接するように形成されている。錘部７４は、回動軸７１を挟んで記録紙後端当接部７３とは反対側に設けられている。記録紙押出部７５は、排紙ローラ３４によって排出されようとしている記録紙Ｐの後端と当接して記録紙の後端をし得るように斜面状に形成されている。
【００２３】
図８乃至図１０は、記録紙Ｐが正方向に搬送されるときの逆送防止部材７０の動作を示している。記録紙Ｐは、給紙ローラ３２（図１参照）によって、排紙ローラ３４まで搬送される。このとき、図８に示すように、逆送防止部材７０は、錘部７４の自重によって時計回りのモーメントを受け、記録紙裏面接触部７２及び記録紙後端当接部７３が上昇し、排紙ローラ３４とスターローラ３６との間を含む記録紙搬送経路の一部が閉じられた状態となっている。この状態からさらに記録紙Ｐが正方向に搬送されると、その先端が記録紙裏面接触部７２と接触し、記録紙裏面接触部７２を下方に押圧する。これに伴い、図９に示すように、逆送防止部材７０が第１方向（反時計回り）に回動して排紙ローラ３４とスターローラ３６との間の記録紙搬送経路が開かれ、記録紙Ｐが通過可能となる。記録紙Ｐの後端が記録紙裏面接触部７２を通過すると、図１０に示すように、逆送防止部材７０は、錘部７４（図８参照）の自重によって下降するのに伴って、第２方向（時計回り）に回動する。このとき、斜面状に形成された記録紙押出部７５が上昇し、記録紙Ｐの後端を排出方向に押し出し、排紙ローラ３４による記録紙Ｐの排出動作を促進する。記録紙Ｐが完全に排出されると、記録紙後端当接部７３が上昇し、排紙ローラ３４とスターローラ３６との間の記録紙搬送経路の一部が閉じられ、図８に示した状態に復帰する。このように逆送防止部材７０の第２方向への回動は、錘部７４がその自重によって下降するのに伴ってなされる。このため、逆送防止部材７０を駆動する駆動機構を別途設ける必要がない。また、錘部７４の重さを適宜設定することにより、薄手の記録紙に対応させて少ない力で逆送防止部材７０を第１方向に回動可能とすることができ、記録紙Ｐの損傷と紙詰まりを防止できる。
【００２４】
図１１は、その後、給紙トレイ２に装填されている次の記録紙に画像を形成する際に、排紙ローラ３４が逆転したときの逆送防止部材７０の動作を示している。排紙トレイ１０に１０数枚程度の記録紙Ｐが堆積されると、記録紙Ｐの後端が排紙ローラ３４に駆動されて、記録紙Ｐは排紙ローラ３４とスターローラ３６との間の記録紙搬送経路に逆送される場合がある。ところが、既に逆送防止部材７０の第２方向への回動に伴って上昇された記録紙後端当接部７３が排紙ローラ３４とスターローラ３６との間の記録紙搬送経路の一部に介在しているので、記録紙Ｐの後端は記録紙後端当接部７３と当接し、記録紙Ｐがそれ以上逆送することが防止される。
【００２５】
以上のように、本実施形態のインクジェットプリンタ１によれば、給紙ローラ３２と排紙ローラ３４との間に逆送防止部材７０を備えているので、排紙ローラ３４が逆転方向に回転駆動された場合であっても、排紙トレイ６の上に堆積されている記録紙Ｐが排紙ローラ３４によって逆方向に搬送されることがない。従って、排紙トレイ６に対応枚数以上の記録紙Ｐが堆積された状態で、装置を動作させても、排紙トレイ６の上の既に画像が形成された記録紙Ｐに別の画像が上書きされることがなくなる。しかも、逆送防止部材７０には排紙ローラ３４によって排出されようしている記録紙Ｐの後端を排紙トレイ６の方向に押し出すための記録紙押出部７５が設けられているので、確実に記録紙を排出できるようになる。また、逆送防止部材７０を排紙ローラ３４の軸方向の略中央に配設することにより、幅寸法の狭い記録紙Ｐを使用した場合であっても、確実に記録紙Ｐを排出し、逆送を防止することができる。
【００２６】
また、記録紙Ｐの後端が逆送防止部材７０の上を通過した後には、錘部７４が自重によって下降するのに伴って、逆送防止部材７０が回動し、記録紙後端当接部７３が排紙ローラ３４とスターローラ３６との間の記録紙搬送経路の一部が閉じられる。これにより、簡素かつ安価な構成でありながらも、記録紙Ｐが逆方向に搬送されることを確実に防止することができる。また、記録紙裏面接触部７２が給紙ローラ３２によって正方向に搬送された記録紙Ｐの裏面と接触すると、記録紙裏面接触部７２が記録紙Ｐに押圧されることにより、逆送防止部材７０が第1方向に回動して排紙ローラ３４とスターローラ３６との間の記録紙搬送経路が開かれるので、薄手の記録紙が用いられた場合であっても、記録紙が損傷したり紙詰まりが発生する虞がない。一方、記録紙Ｐの後端が記録紙裏面接触部７２の上を通過した後には、錘部７４が自重によって下降するのに伴って、逆送防止部材７０が第２方向に回動する。これに伴い記録紙押出部７５が記録紙Ｐの後端を排紙トレイ６の方向に押し出すため、簡素かつ安価な構成で記録紙を確実に排出できるようになる。
【００２７】
なお、本発明は上記実施形態の構成に限られることなく、少なくとも給紙ローラ３２と排紙ローラ３４との間に逆送防止部材７０を備えていればよい。また、本発明は、種々の変形が可能であり、例えば、ピックローラ３１、給紙ローラ３２及び排紙ローラ３４を回転駆動するための駆動ギア列の構成や、逆送防止部材７０の形状は、図２、６に示したものに限られることはない。
【図面の簡単な説明】
【００２８】
【図１】本発明の一実施形態による画像形成装置の一例であるインクジェットプリンタの構成を示す図。
【図２】ピックローラ、給紙ローラ、及び排紙ローラを駆動するための駆動ギア列の構成及び排紙ローラの逆転時における回転状態を示す側面図。
【図３】排紙ローラの正転時における同駆動ギア列の回転状態を示す側面図
【図４】排紙ローラの周辺部の構成を示す側面図。
【図５】逆送防止部材とその周辺の筐体を示す斜視図。
【図６】逆送防止部材の形状を示す斜視図。
【図７】筐体における逆送防止部材が組み込まれる部分を示す斜視図。
【図８】記録紙Ｐが正方向に搬送されるときの逆送防止部材の動作を示す側面図。
【図９】図８に続く逆送防止部材の動作を示す側面図。
【図１０】図９に続く逆送防止部材の動作を示す側面図。
【図１１】排紙ローラが逆転したときの逆送防止部材の動作を示す側面図。
【符号の説明】
【００２９】
１    インクジェットプリンタ（画像形成装置）
２    給紙トレイ
３    記録紙搬送機構（記録紙搬送手段）
４    画像形成部（画像形成手段）
５    制御回路（制御手段）
６    排紙トレイ
３４    排紙ローラ
３６    スターローラ
７０    逆送防止部材
７１    回動軸
７２    記録紙裏面接触部
７３    記録紙後端当接部
７４    錘部
７５    記録紙押出部
Ｐ    記録紙
【図１】
2008308284.tif 000003
【図２】
2008308284.tif 000004
【図３】
2008308284.tif 000005
【図４】
2008308284.tif 000006
【図５】
2008308284.tif 000007
【図６】
2008308284.tif 000008
【図７】
2008308284.tif 000009
【図８】
2008308284.tif 000010
【図９】
2008308284.tif 000011
【図１０】
2008308284.tif 000012
【図１１】
2008308284.tif 000013